Podtech/llm-jp-corpus-v4-ja_patent huggingface dataset:
【手続補正書】
【提出日】令和3年8月2日(2021.8.2)
【手続補正１】
【補正対象書類名】特許請求の範囲
【補正対象項目名】全文
【補正方法】変更
【補正の内容】
【特許請求の範囲】
【請求項１】
ディスプレイと、
第１画像および第２画像を記憶する記憶手段と、
前記第１画像に対応する第１サムネイルと前記第２画像に対応する第２サムネイルとを含む一覧を前記ディスプレイに表示するように制御する制御手段と、を有し、
前記制御手段は、
第２ダイナミックレンジよりも狭い第1ダイナミックレンジで前記第２サムネイルを
前記ディスプレイに表示し、
前記一覧から前記第２サムネイルが選択された場合、前記第２ダイナミックレンジで前記第２画像を前記ディスプレイに表示する、
ことを特徴とする電子機器。
【請求項２】
前記第２画像は、画像ファイルに含まれており、
前記記憶手段は、前記画像ファイルを記憶しており、
前記画像ファイルの形式は、ＨＥＩＦ形式（Ｈｉｇｈ  Ｅｆｆｉｃｉｅｎｃｙ  Ｉｍａｇｅ  Ｆｉｌｅ  Ｆｏｒｍａｔ）である、
ことを特徴とする請求項１に記載の電子機器。
【請求項３】
前記画像ファイルは、前記第２サムネイルを含む、
ことを特徴とする請求項２に記載の電子機器。
【請求項４】
前記第２画像は、画像ファイルに含まれており、
前記記憶手段は、前記画像ファイルを記憶しており、
前記画像ファイルの形式は、ＲＡＷ画像形式（ＲＡＷ  Ｉｍａｇｅ  Ｆｏｒｍａｔ）である、
ことを特徴とする請求項１に記載の電子機器。
【請求項５】
前記第２画像は、ＲＡＷ画像である、
ことを特徴とする請求項４に記載の電子機器。
【請求項６】
前記制御手段は、前記第２画像を現像することによって、前記第２ダイナミックレンジで前記第２画像を前記ディスプレイに表示する、
ことを特徴とする請求項４または５に記載の電子機器。
【請求項７】
前記画像ファイルは、ＲＡＷサムネイル画像を含む、
ことを特徴とする請求項４から６のいずれか１項に記載の電子機器。
【請求項８】
前記制御手段は、前記第２サムネイルと前記第２画像に対応するヒストグラムとを並べて前記ディスプレイに表示する、
ことを特徴とする請求項１から６のいずれか１項に記載の電子機器。
【請求項９】
前記ヒストグラムは、輝度ヒストグラムである、
ことを特徴とする請求項８に記載の電子機器。
【請求項１０】
前記ヒストグラムは、色ヒストグラムである、
ことを特徴とする請求項８に記載の電子機器。
【請求項１１】
前記制御手段は、前記第２サムネイルに対応する前記第２画像がＨＤＲ（Ｈｉｇｈ  Ｄｙｎａｍｉｃ  Ｒａｎｇｅ）画像であることをユーザに通知するアイコンを、前記第２サムネイルとともに表示する、
ことを特徴とする請求項１から１０のいずれか１項に記載の電子機器。
【請求項１２】
前記アイコンは、ＨＤＲという文字を含む、
ことを特徴とする請求項１１に記載の電子機器。
【請求項１３】
前記第１画像は、ＳＤＲ（Ｓｔａｎｄａｒｄ  Ｄｙｎａｍｉｃ  Ｒａｎｇｅ）画像であり、
前記第２画像は、ＨＤＲ（Ｈｉｇｈ  Ｄｙｎａｍｉｃ  Ｒａｎｇｅ）画像である、
ことを特徴とする請求項１から１２のいずれか１項に記載の電子機器。
【請求項１４】
ディスプレイと、第１画像および第２画像を記憶する記憶手段と、を有する電子機器を制御する制御方法であって、
前記第１画像に対応する第１サムネイルと前記第２画像に対応する第２サムネイルとを含む一覧を前記ディスプレイに表示し、
第２ダイナミックレンジよりも狭い第1ダイナミックレンジで前記第２サムネイルを前
記ディスプレイに表示し、
前記一覧から前記第２サムネイルが選択された場合、前記第２ダイナミックレンジで前記第２画像を前記ディスプレイに表示する、
ことを特徴とする電子機器の制御方法。
【請求項１５】
コンピュータを、請求項１から１３のいずれか１項に記載の電子機器の各手段として機能させるためのプログラム。
【請求項１６】
コンピュータを、請求項１から１３のいずれか１項に記載の電子機器の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】電子機器および電子機器の制御方法
【手続補正３】
【補正対象書類名】明細書
【補正対象項目名】０００１
【補正方法】変更
【補正の内容】
【０００１】
本発明は、電子機器および電子機器の制御方法に関する。
【手続補正４】
【補正対象書類名】明細書
【補正対象項目名】０００８
【補正方法】変更
【補正の内容】
【０００８】
本発明の一態様は、
ディスプレイと、
第１画像および第２画像を記憶する記憶手段と、
前記第１画像に対応する第１サムネイルと前記第２画像に対応する第２サムネイルとを含む一覧を前記ディスプレイに表示するように制御する制御手段と、を有し、
前記制御手段は、
第２ダイナミックレンジよりも狭い第1ダイナミックレンジで前記第２サムネイルを
前記ディスプレイに表示し、
前記一覧から前記第２サムネイルが選択された場合、前記第２ダイナミックレンジで前記第２画像を前記ディスプレイに表示する、
ことを特徴とする電子機器である。
【手続補正５】
【補正対象書類名】明細書
【補正対象項目名】０００９
【補正方法】変更
【補正の内容】
【０００９】
本発明の一態様は、
ディスプレイと、第１画像および第２画像を記憶する記憶手段と、を有する電子機器を制御する制御方法であって、
前記第１画像に対応する第１サムネイルと前記第２画像に対応する第２サムネイルとを含む一覧を前記ディスプレイに表示し、
第２ダイナミックレンジよりも狭い第1ダイナミックレンジで前記第２サムネイルを前
記ディスプレイに表示し、
前記一覧から前記第２サムネイルが選択された場合、前記第２ダイナミックレンジで前記第２画像を前記ディスプレイに表示する、
ことを特徴とする電子機器の制御方法である。
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
動画を取得する取得手段と、
前記動画を構成するフレームを間引き量に従って間引いて出力する間引き手段と、
前記間引き手段が出力する複数のフレームの差分量を検出する検出手段と、を有し、
前記間引き手段は、前記差分量が閾値未満の場合には前記間引き量を増加することを特徴とする撮像装置。
【請求項２】
動画を取得する取得手段と、
前記動画を構成するフレームを間引き量に従って間引いて出力する間引き手段と、
前記間引き手段が出力する複数のフレーム間の動きベクトルを検出する検出手段と、を有し、
前記間引き手段は、大きさが第１閾値を超える動きベクトルの数に基づいて前記間引き量を制御することを特徴とする撮像装置。
【請求項３】
前記間引き手段は、
大きさが前記第１閾値を超える動きベクトルの数が前回より増加した場合には前記間引き量を前回と同じ方向に変化させ、
大きさが前記第１閾値を超える動きベクトルの数が前回より減少した場合には前記間引き量を前回と逆方向に変化させる
ことを特徴とする請求項２に記載の撮像装置。
【請求項４】
前記間引き手段は、大きさが前記第１閾値を超える動きベクトルの数の変化が第２閾値未満であれば、前記間引き量を維持することを特徴とする請求項２または３に記載の撮像装置。
【請求項５】
前記間引き手段は、大きさが上限値を超える動きベクトルが検出された場合には、前記間引き量を減少させることを特徴とする請求項２から４のいずれか１項に記載の撮像装置。
【請求項６】
前記間引き手段は、大きさが前記第１閾値を超える動きベクトルの数が第３閾値より小さい場合、
連続して閾値未満である回数が所定回数を超えなければ、大きさが前記第１閾値を超える動きベクトルの数に基づいて前記間引き量を制御し、
前記回数が前記所定回数を超えていれば、前記間引き量を初期化する、
ことを特徴とする請求項２から５のいずれか１項に記載の撮像装置。
【請求項７】
前記間引き手段は、大きさが前記第１閾値を超える動きベクトルの数が前記第３閾値より大きい場合、前記間引き量を維持することを特徴とする請求項６に記載の撮像装置。
【請求項８】
前記動画から予め定められた被写体を検出する検出手段をさらに有し、
前記間引き手段は、前記検出手段によって前記被写体が検出されていない場合には、前記間引き量を減少させることを特徴とする請求項１から７のいずれか１項に記載の撮像装置。
【請求項９】
前記動画から予め定められた被写体を検出する検出手段をさらに有し、
前記間引き手段は、前記検出手段によって前記被写体が検出されていない場合には、前記間引き量を０とすることを特徴とする請求項１から７のいずれか１項に記載の撮像装置。
【請求項１０】
前記動画のフレームレートは前記間引き量に依存しないことを特徴とする請求項１から９のいずれか１項に記載の撮像装置。
【請求項１１】
取得手段が動画を取得する取得工程と、
間引き手段が、前記動画を構成するフレームを間引き量に従って間引いて出力する間引き工程と、
検出手段が、前記間引き工程によって出力される複数のフレームの差分量を検出する検出工程と、を有し、
前記間引き工程では、前記差分量が閾値未満の場合には前記間引き量を増加することを特徴とする撮像装置の制御方法。
【請求項１２】
取得手段が動画を取得する取得工程と、
間引き手段が、前記動画を構成するフレームを間引き量に従って間引いて出力する間引き工程と、
検出手段が、前記間引き工程によって出力される複数のフレーム間の動きベクトルを検出する検出工程と、を有し、
前記間引き工程では、大きさが第１閾値を超える動きベクトルの数に基づいて前記間引き量を制御することを特徴とする撮像装置の制御方法。
【請求項１３】
撮像装置が有するコンピュータを、請求項１から１０のいずれか１項に記載の撮像装置の各手段として機能させるためのプログラム。
【手続補正２】
【補正対象書類名】明細書
【補正対象項目名】０００７
【補正方法】変更
【補正の内容】
【０００７】
上述の目的は、動画を取得する取得手段と、動画を構成するフレームを間引き量に従って間引いて出力する間引き手段と、間引き手段が出力する複数のフレームの差分量を検出する検出手段と、を有し、間引き手段は、差分量が閾値未満の場合には間引き量を増加することを特徴とする撮像装置によって達成される。
【手続補正書】
【提出日】令和3年7月30日(2021.7.30)
【手続補正１】
【補正対象書類名】明細書
【補正対象項目名】発明の名称
【補正方法】変更
【補正の内容】
【発明の名称】撮像素子及び撮像装置
【手続補正２】
【補正対象書類名】特許請求の範囲
【補正対象項目名】全文
【補正方法】変更
【補正の内容】
【特許請求の範囲】
【請求項１】
フォトンの入射に応じて、出力電圧が変動する複数の受光素子と、
前記複数の受光素子それぞれについて、前記出力電圧が予め決められた閾値を超えて変動する回数をカウントして、カウント値を出力するカウント手段と、
前記複数の受光素子に、降伏電圧以上の複数の異なる逆バイアス電圧を印加する電圧供給手段と、を有し、
前記複数の受光素子はそれぞれカラーフィルタを備え、前記電圧供給手段は、第１の色のカラーフィルタを備える前記受光素子に第１の逆バイアス電圧を印加し、前記第１の色と異なる第２の色のカラーフィルタを備える前記受光素子に前記第１の逆バイアス電圧よりも高い第２の逆バイアス電圧を印加することを特徴とする撮像素子。
【請求項２】
前記カラーフィルタは、ベイヤー配列のカラーフィルタであって、前記第１の色は緑、前記第２の色は、赤または青であることを特徴とする請求項１に記載の撮像素子。
【請求項３】
フォトンの入射に応じて、出力電圧が変動する複数の受光素子と、
前記複数の受光素子それぞれについて、前記出力電圧が予め決められた閾値を超えて変動する回数をカウントして、カウント値を出力するカウント手段と、
前記複数の受光素子に、降伏電圧以上の複数の異なる逆バイアス電圧を印加する電圧供給手段と、を有し、
前記電圧供給手段は、第１の領域の前記受光素子に第１の逆バイアス電圧を印加し、前記第１の領域よりも像高が高い第２の領域の前記受光素子に、前記第１の逆バイアス電圧より高い第２の逆バイアス電圧を印加することを特徴とする撮像素子。
【請求項４】
フォトンの入射に応じて、出力電圧が変動する複数の受光素子と、
前記複数の受光素子それぞれについて、前記出力電圧が予め決められた閾値を超えて変動する回数をカウントして、カウント値を出力するカウント手段と、
前記複数の受光素子に、降伏電圧以上の複数の異なる逆バイアス電圧を印加する電圧供給手段と、を有し、
前記降伏電圧は温度に応じて変化し、前記電圧供給手段は、第１の温度の場合に該第１の温度における第１の降伏電圧以上の第１の逆バイアス電圧を印加し、前記第１の温度よりも低い第２の温度の場合に、前記第１の降伏電圧未満であって、かつ、前記第２の温度における第２の降伏電圧以上の第２の逆バイアス電圧を印加することを特徴とする撮像素子。
【請求項５】
温度を計測する計測手段を更に有することを特徴とする請求項４に記載の撮像素子。
【請求項６】
前記逆バイアス電圧が大きくなると共に増加する暗電流に基づいて、前記閾値を決定することを特徴とする請求項１乃至５のいずれか１項に記載の撮像素子。
【請求項７】
前記カウント値を処理する信号処理手段をさらに備え、
前記複数の受光素子を第１の基板に構成し、前記カウント手段及び前記信号処理手段を第２の基板に構成し、前記第１の基板と前記第２の基板を積層したことを特徴とする請求項１乃至６のいずれか１項に記載の撮像素子。
【請求項８】
前記複数の受光素子の各受光素子はガイガーモードで駆動されたアバランシェフォトダイオードであって、前記各受光素子と前記電圧供給手段との間にクエンチ抵抗を含むことを特徴とする請求項１乃至７のいずれか１項に記載の撮像素子。
【請求項９】
請求項１乃至８のいずれか１項に記載の撮像素子と、
前記カウント値を、前記複数の受光素子それぞれに印加した前記逆バイアス電圧に基づいて補正する補正手段と、
前記カウント値に対してホワイトバランス調整を行うホワイトバランス調整手段と、を有し、
前記電圧供給手段は、ホワイトバランス調整で用いるホワイトバランスゲインに応じて異なる逆バイアス電圧を印加することを特徴とする撮像装置。
【手続補正３】
【補正対象書類名】明細書
【補正対象項目名】０００１
【補正方法】変更
【補正の内容】
【０００１】
本発明は、撮像素子及びその制御方法に関する。
【手続補正４】
【補正対象書類名】明細書
【補正対象項目名】０００９
【補正方法】変更
【補正の内容】
【０００９】
上記目的を達成するために、本発明の撮像素子は、フォトンの入射に応じて、出力電圧が変動する複数の受光素子と、前記複数の受光素子それぞれについて、前記出力電圧が予め決められた閾値を超えて変動する回数をカウントして、カウント値を出力するカウント手段と、前記複数の受光素子に、降伏電圧以上の複数の異なる逆バイアス電圧を印加する電圧供給手段と、を有し、前記複数の受光素子はそれぞれカラーフィルタを備え、前記電圧供給手段は、第１の色のカラーフィルタを備える前記受光素子に第１の逆バイアス電圧を印加し、前記第１の色と異なる第２の色のカラーフィルタを備える前記受光素子に前記第１の逆バイアス電圧よりも高い第２の逆バイアス電圧を印加する。
【手続補正５】
【補正対象書類名】明細書
【補正対象項目名】００１３
【補正方法】変更
【補正の内容】
【００１３】
＜第１の実施形態＞
本発明の第１の実施形態について説明する。図１は、本第１の実施形態における撮像装置１００の概略構成を示すブロック図である。
図１において、レンズ部１０１は、レンズ駆動回路１０２により、ズーム制御、フォーカス制御、絞り制御などが行われて、被写体の光学像を撮像素子１０３に結像させる。撮像素子１０３は、レンズ部１０１により結像された被写体を画像信号として取り込み、画像処理回路１０４は、撮像素子１０３から出力される画像信号に各種の補正や現像処理、データ圧縮のための演算等を行う。
タイミング発生回路１０５は、撮像素子１０３に各種タイミング信号を出力して駆動する。制御回路１０６は、様々な演算と撮像装置１００全体の制御と監視を行う。メモリ１０７は、画像データを一時的に記憶する。記録回路１０８は、半導体メモリ等の着脱可能な記録媒体に記録または読み出しを行う。操作回路１０９は、ユーザーからの命令を受け付け、表示回路１１０は各種情報や撮影画像を表示する。
【手続補正６】
【補正対象書類名】明細書
【補正対象項目名】００１８
【補正方法】変更
【補正の内容】
【００１８】
ここで、図３を用いてフォトン入射時の画素２０３の動作について簡単に説明する。図３は、ＡＰＤ３０２の電流電圧特性を示している。
本第１の実施形態ではＡＰＤ３０２のカソードには、クエンチ抵抗３０１を介して、降伏電圧を超える電圧とするための電位ＨＶＤＤが供給され、ＡＰＤ３０２はガイガーモードとなる。
ここでＡＰＤ３０２にフォトンが入射すると、ＡＰＤ３０２ではアバランシェ増幅による大電流（光電流）が流れる（動作Ａ）。この電流が流れると同時にクエンチ抵抗３０１によって電圧降下が発生し、ＡＰＤ３０２に印加される電圧が降伏電圧未満となり、アバランシェ増幅が止まる（動作Ｂ）。
アバランシェ増幅が止まると、ＡＰＤ３０２のカソードは再び電位ＨＶＤＤによりチャージされ、ガイガーモードに戻る（動作Ｃ）。動作Ａ〜Ｃによるバッファ入力端の電圧変化はバッファ３０３によってパルス整形され、カウンタ３０４によって計測される。これを繰り返すことでＡＰＤ３０２に入射したフォトンの数を計測することが可能となる。
【手続補正書】
【提出日】令和3年7月19日(2021.7.19)
【手続補正１】
【補正対象書類名】明細書
【補正対象項目名】発明の名称
【補正方法】変更
【補正の内容】
【発明の名称】端末装置、基地局装置、および方法
【手続補正２】
【補正対象書類名】特許請求の範囲
【補正対象項目名】全文
【補正方法】変更
【補正の内容】
【特許請求の範囲】
【請求項１】
基地局装置と通信する端末装置であって、
前記基地局装置から無線ベアラ設定情報要素を含むＲＲＣ（Ｒａｄｉｏ  Ｒｅｓｏｕｒｃｅ  Ｃｏｎｔｒｏｌ）再設定メッセージを受信する受信部と、
前記無線ベアラ設定情報要素に含まれる無線ベアラ識別子が前記端末装置の設定に存在せず、前記無線ベアラ設定情報要素にＳＤＡＰ（Ｓｅｒｖｉｃｅ  Ｄａｔａ  Ａｄａｐｔａｔｉｏｎ  Ｐｒｏｔｏｃｏｌ）設定情報要素が含まれ、前記ＳＤＡＰ設定情報要素に含まれるＰＤＵ（Ｐｒｏｔｏｃｏｌ  Ｄａｔａ  Ｕｎｉｔ）セッション情報要素が前記端末装置の設定に存在しない場合に基づいて、前記ＰＤＵセッション情報要素の値に対応するＰＤＵセッションに対するユーザプレーンリソースが設定されたことを上位レイヤに通知する、処理部と、
を有する、端末装置。
【請求項２】
前記ユーザプレーンリソースの設定は、無線ベアラに関する設定を含む、
請求項１に記載の端末装置。
【請求項３】
端末装置と通信する基地局装置であって、
前記端末装置へＲＲＣ（Ｒａｄｉｏ  Ｒｅｓｏｕｒｃｅ  Ｃｏｎｔｒｏｌ）再設定メッセージを送信する送信部と、
前記ＲＲＣ再設定メッセージに無線ベアラ設定情報要素を含めることにより、前記端末装置に処理を行わせる処理部とを有し、
前記処理は、
前記無線ベアラ設定情報要素に含まれる無線ベアラ識別子が、前記端末装置の設定に存在せず、前記無線ベアラ設定情報要素にＳＤＡＰ（Ｓｅｒｖｉｃｅ  Ｄａｔａ  Ａｄａｐｔａｔｉｏｎ  Ｐｒｏｔｏｃｏｌ）設定情報要素が含まれ、前記ＳＤＡＰ設定情報要素に含まれるＰＤＵ（Ｐｒｏｔｏｃｏｌ  Ｄａｔａ  Ｕｎｉｔ）セッション情報要素が前記端末装置の設定に存在しない場合に基づいて、前記ＰＤＵセッション情報要素の値に対応するＰＤＵセッションに対するユーザプレーンリソースが設定されたことを上位レイヤに通知する処理を含む、
基地局装置。
【請求項４】
前記ユーザプレーンリソースの設定は、無線ベアラに関する設定を含む、
請求項３に記載の基地局装置。
【請求項５】
基地局装置と通信する端末装置の方法であって、
前記基地局装置から無線ベアラ設定情報要素を含むＲＲＣ（Ｒａｄｉｏ  Ｒｅｓｏｕｒｃｅ  Ｃｏｎｔｒｏｌ）再設定メッセージを受信し、
前記無線ベアラ設定情報要素に含まれる無線ベアラ識別子が前記端末装置の設定に存在せず、前記無線ベアラ設定情報要素にＳＤＡＰ（Ｓｅｒｖｉｃｅ  Ｄａｔａ  Ａｄａｐｔａｔｉｏｎ  Ｐｒｏｔｏｃｏｌ）設定情報要素が含まれ、前記ＳＤＡＰ設定情報要素に含まれるＰＤＵ（Ｐｒｏｔｏｃｏｌ  Ｄａｔａ  Ｕｎｉｔ）セッション情報要素が前記端末装置の設定に存在しない場合に基づいて、前記ＰＤＵセッション情報要素の値に対応するＰＤＵセッションに対するユーザプレーンリソースが設定されたことを上位レイヤに通知する、
方法。
【請求項６】
端末装置と通信する基地局装置の方法であって、
前記端末装置へＲＲＣ（Ｒａｄｉｏ  Ｒｅｓｏｕｒｃｅ  Ｃｏｎｔｒｏｌ）再設定メッセージを送信し、
前記ＲＲＣ再設定メッセージに、無線ベアラ設定情報要素を含めることにより、前記端末装置に処理を行わせ、
前記処理は、
前記無線ベアラ設定情報要素に含まれる無線ベアラ識別子が前記端末装置の設定に存在せず、前記無線ベアラ設定情報要素にＳＤＡＰ（Ｓｅｒｖｉｃｅ  Ｄａｔａ  Ａｄａｐｔａｔｉｏｎ  Ｐｒｏｔｏｃｏｌ）設定情報要素が含まれ、前記ＳＤＡＰ設定情報要素に含まれるＰＤＵセッション情報要素が前記端末装置の設定に存在しない場合に基づいて、前記ＰＤＵセッション情報要素の値に対応するＰＤＵセッションに対するユーザプレーンリソースが設定されたことを上位レイヤに通知する処理を含む、
方法。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
モータと、
前記モータからの出力が要求される要求トルクと、振動を抑制するための制振トルクと、の和のトルクが前記モータから出力されるように前記モータを制御する制御装置と、
を備える電動車両であって、
前記制御装置は、前記電動車両の前後加速度と、前記モータの回転速度と、を用いて前記制振トルクを設定する、
電動車両。
【請求項２】
請求項１記載の電動車両であって、
前記制御装置は、前記電動車両の前記前後加速度の変動の周波数スペクトルにおいてピーク値となる第１周波数と、前記モータの前記回転速度の変動の周波数スペクトルにおいてピーク値となる第２周波数と、を用いて前記制振トルクを設定する、
電動車両。
【請求項３】
請求項２記載の電動車両であって、
前記制御装置は、前記モータの回転角速度と駆動輪の回転角速度との差に、前記第１、第２周波数を用いて設定される制御ゲイン、を乗じて前記制振トルクを設定する
電動車両。
【請求項４】
請求項３記載の電動車両であって、
前記制御装置は、前記第１周波数と前記第２周波数とが一致しているときには、一致していないときに比して、前記制御ゲインを大きくする
電動車両。
【請求項５】
請求項２ないし４のいずれか１つの請求項に記載の電動車両であって、
前記制御装置は、走行に要求される走行要求トルクに向けてトルク変化率で変化するように前記要求トルクを設定し、
前記制御装置は、前記第１周波数と前記第２周波数とが一致しないときには、一致しているときに比して、前記トルク変化率を小さくする
電動車両。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
それぞれ同一種類かつ複数の薬剤を収容すると共に、薬剤の払出しを行う複数のカセットを装着可能であり、受け付けた払出指示によって定められた種類の薬剤の払出しを行う薬剤払出装置であって、
前記払出指示が示す種類の薬剤を払出対象とする複数種類の汎用カセットと、
前記払出指示に基づき前記薬剤を払出すためのカセットを特定する機能を有し、前記払出指示に分割薬剤の払出指示が含まれている場合には、当該分割薬剤を払出すためのカセットとして、前記汎用カセットに含まれる、分割薬剤を払出すことが可能な分割薬剤汎用カセットを特定する払出特定部と、を備える、薬剤払出装置。
【請求項２】
前記払出特定部は、前記払出指示に非分割薬剤の払出指示が含まれている場合には、当該非分割薬剤を払出すためのカセットとして、前記汎用カセットに含まれる、非分割薬剤を払出すことが可能な非分割薬剤汎用カセットを特定する、請求項１に記載の薬剤払出装置。
【請求項３】
予め定められた種類の薬剤を払出対象とする専用カセットを備え、
前記払出特定部は、前記払出指示に基づき前記薬剤を払出すためのカセットを特定する機能を有し、
前記専用カセットは、非分割薬剤を払出すことが可能な非分割薬剤専用カセットを含み、
前記払出特定部は、前記払出指示に前記非分割薬剤の払出指示が含まれており、かつ、当該非分割薬剤を払出対象とする非分割薬剤専用カセットが存在する場合には、前記非分割薬剤汎用カセットより優先して、前記非分割薬剤専用カセットを、前記非分割薬剤を払出すためのカセットとして特定する、請求項２に記載の薬剤払出装置。
【請求項４】
予め定められた種類の薬剤を払出対象とする専用カセットを備え、
前記払出特定部は、前記払出指示に基づき前記薬剤を払出すためのカセットを特定する機能を有し、
前記専用カセットは、分割薬剤を払出すことが可能な分割薬剤専用カセットを含み、
前記払出特定部は、前記払出指示に前記分割薬剤の払出指示が含まれており、かつ、当該分割薬剤を払出対象とする分割薬剤専用カセットが存在する場合には、前記分割薬剤汎用カセットより優先して、前記分割薬剤専用カセットを、前記分割薬剤を払出すためのカセットとして特定する、請求項１から３の何れか１項に記載の薬剤払出装置。
【請求項５】
前記汎用カセットを装着可能な汎用カセット装着部を備え、
前記薬剤を払出すためのカセットとして前記汎用カセットを特定するときに、前記汎用カセット装着部に前記汎用カセットが装着されていない場合、前記汎用カセット装着部に前記汎用カセットが装着されていないことを通知する通知制御部と、を備える、請求項１から４の何れか１項に記載の薬剤払出装置。
【請求項６】
前記分割薬剤汎用カセットは、
前記分割薬剤を搬送する薬剤搬送機構と、
搬送される分割薬剤の通過をその高さ又は幅に応じて規制するために分割薬剤の通過経路幅を規定し、かつ前記通過経路幅を変更すべく移動可能な規制体と、を備え、
非分割薬剤の種類毎に予め登録された前記非分割薬剤の寸法、又は前記非分割薬剤の寸法に基づき予め規定された通過経路幅に基づき、前記分割薬剤の通過経路幅を算出する幅算出部を備える、請求項１から５の何れか１項に記載の薬剤払出装置。
【請求項７】
前記薬剤の種類毎に、前記分割薬剤汎用カセットの使用の許否が予め設定されており、
前記払出特定部は、前記払出指示に含まれる分割薬剤についての前記分割薬剤汎用カセットの使用の許否に基づき、前記分割薬剤汎用カセットを、前記分割薬剤を払出すためのカセットとして特定するか否かを判定する、請求項１から６の何れか１項に記載の薬剤払出装置。
【請求項８】
予め定められた種類の薬剤を払出対象とする専用カセットを備え、
前記払出特定部は、前記払出指示に基づき前記薬剤を払出すためのカセットを特定する機能を有し、
前記専用カセットは、分割薬剤を払出すことが可能な分割薬剤専用カセットを含み、
前記払出特定部は、前記分割薬剤汎用カセットの動作モードが、任意の種類の分割薬剤のみを払出すものとして設定されている場合には、当該分割薬剤汎用カセットを、当該分割薬剤が収容されている分割薬剤専用カセットとして認識する、請求項１から７の何れか１項に記載の薬剤払出装置。
【請求項９】
それぞれ同一種類かつ複数の薬剤を収容すると共に、薬剤の払出しを行う複数のカセットを装着可能であり、受け付けた払出指示によって定められた種類の薬剤の払出しを行う薬剤払出装置であって、
前記払出指示が示す種類の薬剤を払出対象とし、非分割薬剤を払出すことが可能な非分割薬剤汎用カセットと、
前記払出指示が示す種類の薬剤を払出対象とし、分割薬剤を払出すことが可能な分割薬剤汎用カセットと、
前記払出指示に、同一種類の薬剤について非分割薬剤及び分割薬剤の払出指示が含まれている場合に、当該非分割薬剤を払出すためのカセットとして特定された前記非分割薬剤汎用カセット、及び、当該分割薬剤を払出すためのカセットとして特定された前記分割薬剤汎用カセットを駆動させる払出制御部と、を備える、薬剤払出装置。
【請求項１０】
請求項１に記載の薬剤払出装置としてコンピュータを機能させるための薬剤払出プログラムであって、前記払出特定部としてコンピュータを機能させるための薬剤払出プログラム。
【請求項１１】
請求項９に記載の薬剤払出装置としてコンピュータを機能させるための薬剤払出プログラムであって、前記払出制御部としてコンピュータを機能させるための薬剤払出プログラム。
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段に対する操作の受付けが許容される受付状態を発生可能であり、該受付状態内において遊技者による操作が受付けされると、該受付けがなされたことに基づいて受付後変化を実行可能な受付演出実行手段と、
前記操作手段を摸した摸画像表示を表示可能な摸画像表示手段と
を備え、
前記受付状態として、第１受付状態及び第２受付状態が用意されており、
前記第１受付状態において遊技者による操作が受付けされると、該受付けがなされたことに基づいて第１受付後変化を前記受付後変化として実行可能であり、該第１受付後変化が実行開始された以降も前記摸画像表示は表示されうるようになっており、
前記第２受付状態において遊技者による操作が受付けされると、該受付けがなされたことに基づいて第２受付後変化を前記受付後変化として実行可能であり、該第２受付後変化が実行開始された以降も前記摸画像表示は表示されうるようになっており、
前記第１受付後変化では、前記摸画像表示が非表示になるまでの間に期待度を示唆する演出態様が、前記摸画像表示に対してその前側から重なって見えるように出現可能であるが、
前記第２受付後変化では、前記摸画像表示が非表示になるまでの間に期待度を示唆する演出態様が、前記摸画像表示に対してその前側から重なって見えるように出現することはなく、
さらに、
前記第１受付状態が発生する場合、該第１受付状態に対応する前演出表示が当該第１受付状態の発生タイミングを跨るかたちで表示可能とされており、
前記第１受付状態の発生タイミングを跨るかたちで表示可能とされる前記前演出表示が表示されているなかで前記操作の受付けがなされた場合、前記第１受付後変化が実行開始される時点において前記前演出表示は非表示の状態にされておらず表示されており、該前演出表示は、前記第１受付後変化が実行途中の状態にあるなかで非表示にされ、
さらに、
前記第１受付状態の発生タイミングを跨るかたちで表示可能とされる前記前演出表示が表示されているなかで前記操作の受付けがなされた場合、前記第１受付後変化が実行開始される時点において前記前演出表示は非表示の状態にされておらず表示されており、前記前演出表示が非表示になるまでの間に前記期待度を示唆する演出態様が、前記前演出表示に対してその前側から重なって見えるように出現可能であり、
さらに、
前記受付状態として、第３受付状態がさらに用意されており、
前記第３受付状態は、特定ＢＧＭが非抑制態様で可聴出力されているなかで発生する場合と、特定ＢＧＭが抑制態様または非可聴状態にされてから発生する場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段に対する操作の受付けが許容される受付状態を発生可能であり、該受付状態内において遊技者による操作が受付けされると、該受付けがなされたことに基づいて受付後変化を実行可能な受付演出実行手段と、
前記操作手段を摸した摸画像表示を表示可能な摸画像表示手段と
を備え、
前記受付状態として、第１受付状態及び第２受付状態が用意されており、
前記第１受付状態において遊技者による操作が受付けされると、該受付けがなされたことに基づいて第１受付後変化を前記受付後変化として実行可能であり、該第１受付後変化が実行開始された以降も前記摸画像表示は表示されうるようになっており、
前記第２受付状態において遊技者による操作が受付けされると、該受付けがなされたことに基づいて第２受付後変化を前記受付後変化として実行可能であり、該第２受付後変化が実行開始された以降も前記摸画像表示は表示されうるようになっており、
前記第１受付後変化では、前記摸画像表示が非表示になるまでの間に期待度を示唆する演出態様が、前記摸画像表示に対してその前側から重なって見えるように出現可能であるが、
前記第２受付後変化では、前記摸画像表示が非表示になるまでの間に期待度を示唆する演出態様が、前記摸画像表示に対してその前側から重なって見えるように出現することはなく、
さらに、
前記第１受付状態が発生する場合、該第１受付状態に対応する前演出表示が当該第１受付状態の発生タイミングを跨るかたちで表示可能とされており、
前記第１受付状態の発生タイミングを跨るかたちで表示可能とされる前記前演出表示が表示されているなかで前記操作の受付けがなされた場合、前記第１受付後変化が実行開始される時点において前記前演出表示は非表示の状態にされておらず表示されており、該前演出表示は、前記第１受付後変化が実行途中の状態にあるなかで非表示にされ、
さらに、
前記第１受付状態の発生タイミングを跨るかたちで表示可能とされる前記前演出表示が表示されているなかで前記操作の受付けがなされた場合、前記第１受付後変化が実行開始される時点において前記前演出表示は非表示の状態にされておらず表示されており、前記前演出表示が非表示になるまでの間に前記期待度を示唆する演出態様が、前記前演出表示に対してその前側から重なって見えるように出現可能であり、
さらに、
前記受付状態として、第３受付状態がさらに用意されており、
前記第３受付状態は、特定ＢＧＭが非抑制態様で可聴出力されているなかで発生する場合と、特定ＢＧＭが抑制態様または非可聴状態にされてから発生する場合との両方がある
ことを特徴とする遊技機。
【手続補正４】
【補正対象書類名】明細書
【補正対象項目名】０００８
【補正方法】削除
【補正の内容】
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる特定操作手段と、
前記特定操作手段を摸した摸画像表示を表示可能な摸画像表示手段と、
前記特定操作手段に対する操作の受付けが許容される第１受付状態を発生可能であり、該第１受付状態において遊技者による操作が受付けされると、該受付けがなされたことに基づいて、期待度が異なる複数態様のいずれかで第１受付後演出を実行可能な第１受付演出実行手段と、
前記特定操作手段に対する操作の受付けが許容される第２受付状態を発生可能であり、該第２受付状態において遊技者による操作が受付けされると、該受付けがなされたことに基づいて、期待度が異なる複数態様のいずれかで第２受付後演出を実行可能な第２受付演出実行手段と
を備え、
前記第１受付状態において遊技者による操作が受付けされた場合、前記摸画像表示が表示されているなかで、該摸画像表示が視認し難くなる態様を第１態様として出現可能であり、
前記第２受付状態において遊技者による操作が受付けされた場合、前記摸画像表示が表示されているなかで、該摸画像表示が視認し難くなる態様を第２態様として出現可能であり、
前記第１態様は、前記第１受付後演出が前記複数態様のうち低期待態様で実行される場合と該低期待態様よりも期待度の高い高期待態様で実行される場合とのいずれの場合であっても出現可能とされるが、前記第２態様は、前記第２受付後演出が前記複数態様のうち低期待態様で実行される場合と該低期待態様よりも期待度の高い高期待態様で実行される場合とのいずれかの場合にしか出現可能とされず、
前記第１受付後演出では、前記低期待態様で実行される場合と前記高期待態様で実行される場合とのいずれの場合であっても、前記第１態様に対してその背後側に重なって見えるように期待演出表示が表示されるようになっており、
さらに、
前記第２受付状態が発生する場合、該第２受付状態に対応する前演出表示が当該第２受付状態の発生タイミングを跨るかたちで表示可能とされており、
前記第２受付状態の発生タイミングを跨るかたちで表示可能とされる前記前演出表示が表示されているなかで前記操作の受付けがなされた場合、前記第２受付後演出が実行開始される時点において前記前演出表示は非表示の状態にされておらず表示されており、該前演出表示は、前記第２受付後演出が実行途中の状態にあるなかで非表示にされ、
さらに、
前記特定操作手段に対する操作の受付けが許容される第３受付状態をさらに発生可能であり、
前記第３受付状態は、特定ＢＧＭが非抑制態様で可聴出力されているなかで発生する場合と、特定ＢＧＭが抑制態様または非可聴状態にされてから発生する場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる特定操作手段と、
前記特定操作手段を摸した摸画像表示を表示可能な摸画像表示手段と、
前記特定操作手段に対する操作の受付けが許容される第１受付状態を発生可能であり、該第１受付状態において遊技者による操作が受付けされると、該受付けがなされたことに基づいて、期待度が異なる複数態様のいずれかで第１受付後演出を実行可能な第１受付演出実行手段と、
前記特定操作手段に対する操作の受付けが許容される第２受付状態を発生可能であり、該第２受付状態において遊技者による操作が受付けされると、該受付けがなされたことに基づいて、期待度が異なる複数態様のいずれかで第２受付後演出を実行可能な第２受付演出実行手段と
を備え、
前記第１受付状態において遊技者による操作が受付けされた場合、前記摸画像表示が表示されているなかで、該摸画像表示が視認し難くなる態様を第１態様として出現可能であり、
前記第２受付状態において遊技者による操作が受付けされた場合、前記摸画像表示が表示されているなかで、該摸画像表示が視認し難くなる態様を第２態様として出現可能であり、
前記第１態様は、前記第１受付後演出が前記複数態様のうち低期待態様で実行される場合と該低期待態様よりも期待度の高い高期待態様で実行される場合とのいずれの場合であっても出現可能とされるが、前記第２態様は、前記第２受付後演出が前記複数態様のうち低期待態様で実行される場合と該低期待態様よりも期待度の高い高期待態様で実行される場合とのいずれかの場合にしか出現可能とされず、
前記第１受付後演出では、前記低期待態様で実行される場合と前記高期待態様で実行される場合とのいずれの場合であっても、前記第１態様に対してその背後側に重なって見えるように期待演出表示が表示されるようになっており、
さらに、
前記第２受付状態が発生する場合、該第２受付状態に対応する前演出表示が当該第２受付状態の発生タイミングを跨るかたちで表示可能とされており、
前記第２受付状態の発生タイミングを跨るかたちで表示可能とされる前記前演出表示が表示されているなかで前記操作の受付けがなされた場合、前記第２受付後演出が実行開始される時点において前記前演出表示は非表示の状態にされておらず表示されており、該前演出表示は、前記第２受付後演出が実行途中の状態にあるなかで非表示にされ、
さらに、
前記特定操作手段に対する操作の受付けが許容される第３受付状態をさらに発生可能であり、
前記第３受付状態は、特定ＢＧＭが非抑制態様で可聴出力されているなかで発生する場合と、特定ＢＧＭが抑制態様または非可聴状態にされてから発生する場合との両方がある
ことを特徴とする遊技機。
【手続補正４】
【補正対象書類名】明細書
【補正対象項目名】０００８
【補正方法】削除
【補正の内容】
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作を受ける操作受け部と、
操作機会が付与される受付許容状態を発生可能であり、該受付許容状態において操作受付されると受付後変化を生じさせる操作受付手段と、
前記受付許容状態において、操作機会が付与される対象である操作受け部を摸した摸画像表示を表示可能な摸画像表示手段と
を備え、
前記摸画像表示として、特別態様を含む複数態様が用意されており、
前記受付許容状態には、第１条件が満たされた場合に発生する第１受付許容状態、及び前記第１条件とは異なる第２条件が満たされた場合に発生する第２受付許容状態が含まれており、
前記第１受付許容状態が発生する場合は、操作受付が許容される状態になったこと、または操作受付が許容される状態になることを示唆する受付許容音が出力され、該受付許容音が出力状態にあるときに操作受付されると、該操作受付されたことに基づいてその出力状態が途中終了されるようになっており、
前記第２受付許容状態が発生する場合は、操作受付が許容される状態になったこと、または操作受付が許容される状態になることを示唆する受付許容音が出力されず、
前記受付許容音が出力状態にあるときに操作受付されるとその出力状態が途中終了される前記第１受付許容状態では、前記摸画像表示が前記特別態様で表示される場合があり、前記受付許容音が出力されない前記第２受付許容状態では、前記摸画像表示が前記特別態様で表示される場合がなく一の態様でのみ表示可能とされるようになっており、
さらに、
前記第１受付許容状態の発生タイミングを跨るかたちで前記摸画像表示とは異なる前演出表示が表示可能とされるとともに、前記第１受付許容状態で前記操作受付がなされると、該操作受付に基づいて発生する前記受付後変化では、前記摸画像表示が視認し難くなる特定演出表示が表示可能とされ、
前記第１受付許容状態の発生タイミングを跨るかたちで表示可能とされる前記前演出表示が表示されているなかで前記操作受付がなされた場合、前記特定演出表示が表示される時点において、前記前演出表示は非表示の状態にされておらず前記特定演出表示に対してその背後側に見えるように表示されており、
さらに、
前記第１受付許容状態の発生タイミングを跨るかたちで表示可能とされる前記前演出表示が表示されているなかで前記操作受付がなされた場合、該操作受付に応じた前記受付後変化が生じる時点において、前記前演出表示は非表示の状態にされておらず表示可能とされるが、前記特定演出表示は未だ表示されておらずその後に表示される
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作を受ける操作受け部と、
操作機会が付与される受付許容状態を発生可能であり、該受付許容状態において操作受付されると受付後変化を生じさせる操作受付手段と、
前記受付許容状態において、操作機会が付与される対象である操作受け部を摸した摸画像表示を表示可能な摸画像表示手段と
を備え、
前記摸画像表示として、特別態様を含む複数態様が用意されており、
前記受付許容状態には、第１条件が満たされた場合に発生する第１受付許容状態、及び前記第１条件とは異なる第２条件が満たされた場合に発生する第２受付許容状態が含まれており、
前記第１受付許容状態が発生する場合は、操作受付が許容される状態になったこと、または操作受付が許容される状態になることを示唆する受付許容音が出力され、該受付許容音が出力状態にあるときに操作受付されると、該操作受付されたことに基づいてその出力状態が途中終了されるようになっており、
前記第２受付許容状態が発生する場合は、操作受付が許容される状態になったこと、または操作受付が許容される状態になることを示唆する受付許容音が出力されず、
前記受付許容音が出力状態にあるときに操作受付されるとその出力状態が途中終了される前記第１受付許容状態では、前記摸画像表示が前記特別態様で表示される場合があり、前記受付許容音が出力されない前記第２受付許容状態では、前記摸画像表示が前記特別態様で表示される場合がなく一の態様でのみ表示可能とされるようになっており、
さらに、
前記第１受付許容状態の発生タイミングを跨るかたちで前記摸画像表示とは異なる前演出表示が表示可能とされるとともに、前記第１受付許容状態で前記操作受付がなされると、該操作受付に基づいて発生する前記受付後変化では、前記摸画像表示が視認し難くなる特定演出表示が表示可能とされ、
前記第１受付許容状態の発生タイミングを跨るかたちで表示可能とされる前記前演出表示が表示されているなかで前記操作受付がなされた場合、前記特定演出表示が表示される時点において、前記前演出表示は非表示の状態にされておらず前記特定演出表示に対してその背後側に見えるように表示されており、
さらに、
前記第１受付許容状態の発生タイミングを跨るかたちで表示可能とされる前記前演出表示が表示されているなかで前記操作受付がなされた場合、該操作受付に応じた前記受付後変化が生じる時点において、前記前演出表示は非表示の状態にされておらず表示可能とされるが、前記特定演出表示は未だ表示されておらずその後に表示される
ことを特徴とする遊技機。
【手続補正４】
【補正対象書類名】明細書
【補正対象項目名】０００８
【補正方法】削除
【補正の内容】
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者による操作を受ける特定の操作受け部と、
前記特定の操作受け部に対する操作機会が付与される受付許容状態を発生可能であり、該受付許容状態において操作受付されると受付後変化を生じさせる操作受付手段と、
前記特定の操作受け部を摸した摸画像表示を所定の表示領域に表示可能な摸画像表示手段と、
前記摸画像表示とは異なる別画像であり、該摸画像表示に対してその前側から重なって見える消滅演出表示を表示可能な消滅演出表示手段と
を備え、
前記受付許容状態の発生に際しては、操作受付が許容される状態になったこと、または操作受付が許容される状態になることを示唆する受付許容音が可聴出力されうるようになっており、
前記受付許容状態として、
前記操作受付がなされた場合、該操作受付に基づいて第１受付後変化を生じさせるとともに、該第１受付後変化では、前記消滅演出表示が表示される第１受付許容状態、
前記操作受付がなされた場合、該操作受付に基づいて第２受付後変化を生じさせるとともに、該第２受付後変化では、前記消滅演出表示が表示されない第２受付許容状態、及び
前記操作受付がなされた場合、該操作受付に基づいて第３受付後変化を生じさせるとともに、該第３受付後変化では、前記消滅演出表示が表示されない第３受付許容状態
が用意されており、
前記第１受付許容状態及び前記第２受付許容状態のいずれかが発生する場合は、前記受付許容音が可聴出力されるが、前記第３受付許容状態が発生する場合は、前記受付許容音が可聴出力されないようになっており、
さらに、
前記受付許容状態の発生タイミングを跨るかたちで前記摸画像表示とは異なる前演出表示が表示可能とされ、
前記前演出表示が表示されているなかで前記受付許容状態において前記操作受付がなされた場合、該操作受付に応じた前記受付後変化が生じる時点において、前記前演出表示が非表示の状態にされておらず表示されており、
さらに、
前記第３受付許容状態は、特定ＢＧＭが抑制態様または非可聴状態にされてから発生しうる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者による操作を受ける特定の操作受け部と、
前記特定の操作受け部に対する操作機会が付与される受付許容状態を発生可能であり、該受付許容状態において操作受付されると受付後変化を生じさせる操作受付手段と、
前記特定の操作受け部を摸した摸画像表示を所定の表示領域に表示可能な摸画像表示手段と、
前記摸画像表示とは異なる別画像であり、該摸画像表示に対してその前側から重なって見える消滅演出表示を表示可能な消滅演出表示手段と
を備え、
前記受付許容状態の発生に際しては、操作受付が許容される状態になったこと、または操作受付が許容される状態になることを示唆する受付許容音が可聴出力されうるようになっており、
前記受付許容状態として、
前記操作受付がなされた場合、該操作受付に基づいて第１受付後変化を生じさせるとともに、該第１受付後変化では、前記消滅演出表示が表示される第１受付許容状態、
前記操作受付がなされた場合、該操作受付に基づいて第２受付後変化を生じさせるとともに、該第２受付後変化では、前記消滅演出表示が表示されない第２受付許容状態、及び
前記操作受付がなされた場合、該操作受付に基づいて第３受付後変化を生じさせるとともに、該第３受付後変化では、前記消滅演出表示が表示されない第３受付許容状態
が用意されており、
前記第１受付許容状態及び前記第２受付許容状態のいずれかが発生する場合は、前記受付許容音が可聴出力されるが、前記第３受付許容状態が発生する場合は、前記受付許容音が可聴出力されないようになっており、
さらに、
前記受付許容状態の発生タイミングを跨るかたちで前記摸画像表示とは異なる前演出表示が表示可能とされ、
前記前演出表示が表示されているなかで前記受付許容状態において前記操作受付がなされた場合、該操作受付に応じた前記受付後変化が生じる時点において、前記前演出表示が非表示の状態にされておらず表示されており、
さらに、
前記第３受付許容状態は、特定ＢＧＭが抑制態様または非可聴状態にされてから発生しうる
ことを特徴とする遊技機。
【手続補正４】
【補正対象書類名】明細書
【補正対象項目名】０００８
【補正方法】削除
【補正の内容】